(57)【要約】      （修正有）【課題】接面部を使用者の重心移動に合わせて変形させることができ、かつ、接面部の反発力を利用して歩行しやすい歩行補助具用のキャップを提供する。【解決手段】歩行補助具用のキャップ１０は、シャフトの先端部３ａが取り付けられる取付部２０から接面部３０まで延びる嵌挿孔を有する。取付部から下方へ拡がるように傾斜状に延びる接面部の上面３１には、その周方向Ｒにおいて間隔を空けて並ぶ複数の凹部５１が位置する。接面部の底面には、接面部の中心側から外周縁部３３側へ延びる複数の条溝６２が位置し、凹部５１と条溝６２とが上下方向において互いに重なっている。【選択図】図２
0003210090.tif 000002
【実用新案登録請求の範囲】
【請求項１】
上下方向を有し、シャフトの先端部が取り付けられる取付部と、前記取付部の下方に位置する接面部とを含む歩行補助具のキャップにおいて、
前記取付部から前記接面部まで延びる嵌挿孔を有し、
前記取付部から下方へ拡がるように傾斜状に延びる前記接面部の上面には、その周方向において間隔を空けて並ぶ複数の凹部が位置し、
前記接面部の底面には、前記接面部の中心側から外周縁部側へ延びる複数の条溝が位置し、
前記凹部と前記条溝とが前記上下方向において互いに重なることを特徴とするキャップ。
【請求項２】
前記凹部と前記凹部との間に位置する凸部と前記複数の条溝とは、前記上下方向において互いに重なっていない請求項１に記載のキャップ。
【請求項３】
前記凹部は、前記取付部と前記接面部との境界部分近傍から下方へ向かって次第に幅広となるように延びている請求項１又は２に記載のキャップ。
【請求項４】
前記凹部の幅寸法は前記条溝の幅寸法よりも大きく、前記凹部と前記条溝とが前記外周縁部において互いに離間している請求項１〜３のいずれかに記載のキャップ。
【請求項５】
前記凹部と前記凸部とはほぼ同じ幅寸法であって、前記凹部は前記接面部の前記中心から１２０〜３６０度の範囲内に位置する請求項２〜４のいずれかに記載のキャップ。
【請求項６】
前記嵌挿孔の下端側の内面には、前記下端に配置された高剛性部材の上方への移動を規制するための突起が位置する請求項１〜５のいずれかに記載のキャップ。
【考案の詳細な説明】
【技術分野】
【０００１】
本考案は、歩行補助具のキャップに関する。
【背景技術】
【０００２】
従来、トレッキングやハイキング等に使用する歩行補助具のキャップは公知である。例えば、特許文献１には、シャフト（ポールシャフト）の先端が取り付けられる取付部と、取付部の下方に位置する接面部とを有する歩行補助具用のキャップが開示されている。キャップは、天然ゴム、ゴム、軟質プラスチック材料等の弾性材料から形成されて可撓性を有する。
【先行技術文献】
【特許文献】
【０００３】
【特許文献１】特開２０１４−１４７６１３号公報
【考案の概要】
【考案が解決しようとする課題】
【０００４】
特許文献１に開示のキャップによれば、接面部の底面には同心円状であって、中心に向かって肉厚となる段差状の摩耗状態表示手段が配置されていることによって、外部からキャップの摩耗状態を視認することができる。また、キャップ全体が可撓性を有し、かつ、シャフトの先端を挿入する嵌挿孔が接面部まで延びていないことから、取付部がシャフトの動きに追従して変形できる。このように、取付部がシャフトの動きに合わせて変形しやすいので、使用者が急に歩行の方向を変えたりして重心が移動したときに先に取付部が変形してしまい、接面部は地面に対して変形しにくく、キャップとシャフトを介して使用者に伝わる衝撃を緩和することができない。
【０００５】
使用者が重心移動したときに接面部を変形させるために、キャップ全体を可撓性の高い部材で形成した場合には、キャップが地面に触れたときの反発力を利用して歩行することができず、歩行しにくくなる。
【０００６】
そこで、本考案の目的は、従来の技術の改良であって、接面部を使用者の重心移動に合わせて変形させることができ、かつ、接面部の反発力を利用して歩行しやすい歩行補助具用のキャップの提供にある。
【課題を解決するための手段】
【０００７】
上記課題を達成するために、本考案は、上下方向を有し、シャフトの先端が取り付けられる取付部と、前記取付部の下方に位置する接面部とを含む歩行補助具のキャップに関する。
【０００８】
本考案に係る歩行補助具のキャップは、前記取付部から前記接面部まで延びる嵌挿孔を有し、前記取付部から下方へ拡がるように傾斜状に延びる前記接面部の上面には、その周方向において間隔を空けて並ぶ複数の凹部が位置し、前記接面部の底面には、前記接面部の中心側から外周縁部側へ延びる複数の条溝が位置し、前記凹部と前記条溝とが前記上下方向において互いに重なることを特徴とする。
【０００９】
本考案に係る歩行補助具のキャップの実施態様の一つにおいて、前記凹部と前記凹部との間に位置する凸部と前記複数の条溝とは、前記上下方向において互いに重なっていない。
【００１０】
本考案に係る歩行補助具のキャップの他の実施態様の一つにおいて、前記凹部は、前記取付部と前記接面部との境界部分近傍から下方へ向かって次第に幅広となるように延びている。
【００１１】
本考案に係る歩行補助具のキャップのさらに他の実施態様の一つにおいて、前記凹部の幅寸法は前記条溝の幅寸法よりも大きく、前記凹部と前記条溝とは前記外周縁部において互いに離間している。
【００１２】
本考案に係る歩行補助具のキャップのさらに他の実施態様の一つにおいて、前記凹部と前記凸部とはほぼ同じ幅寸法であって、前記凹部は前記接面部の前記中心から１２０〜３６０度の範囲内に位置する。
【００１３】
本考案に係る歩行補助具のキャップのさらに他の実施態様の一つにおいて、前記嵌挿孔の下端側の内面には、前記下端に配置された高剛性部材の上方への移動を規制するための突起が位置する。
【考案の効果】
【００１４】
本考案に係る歩行補助具のキャップにおいては、嵌挿孔が接面部まで延びていることから歩行時に取付部が安定するとともに、接面部の上面に位置する凹部と底面に位置する条溝とが上下方向において互いに重なって位置することから、接面部を重心移動に合わせて変形させることができる。
【図面の簡単な説明】
【００１５】
図面は、本考案に係る歩行補助具のキャップの特定の実施の形態を示し、考案の不可欠な構成ばかりでなく、選択的及び好ましい実施の形態を含む。
【図１】本考案に係る歩行補助具のキャップの一例を使用した、歩行補助具の斜視図。
【図２】キャップの斜視図。
【図３】キャップを上方から視た平面図。
【図４】キャップの底面図。
【図５】図２のＶ−Ｖ線に沿う断面図。
【図６】キャップを斜め下方から視た側面図。
【図７】（１）使用者が重心移動をして接面部が変形した状態を示す図。（２）使用者がグリップから手を放し、地面に対してキャップを引きずるようにして移動する様子を示す図。
【考案を実施するための形態】
【００１６】
下記の各実施の形態は、本考案の一例として示す歩行補助具のキャップ１０に関し、考案の不可欠な構成ばかりではなく、選択的及び好ましい構成を含む。各図において、凹部５１及び溝部６０は、説明の便宜上、ドットを付して示している。
【００１７】
図１を参照すると、本考案に係る歩行補助具１は、使用者が把持するためのグリップ２と、グリップ２の一方端に着脱可能または着脱不能に取り付けられたシャフト（ポールシャフト、パイプシャフト）３と、シャフト３の他方端部（先端部３ａ）に着脱可能に取り付けられたキャップ１０とを含む。グリップ２の上端には、環状のストラップ４が取り付けられている。シャフト３は、アルミニウム・鉄・カーボン等の硬質材料で形成されており、キャップ１０は、可撓性を有する材料、例えば、天然ゴム、合成ゴムや軟質プラスチック材料等の弾性材料から形成される。
【００１８】
図２〜５を参照すると、キャップ１０は、上下方向Ｙと、上面及び底面（接面部３０の底面３２）と、シャフト３が取り付けられる有底円筒状の取付部２０と、取付部２０の下方に位置し、取付部２０から全周方向へ下り勾配に延びる接面部３０と、シャフト３の先端部３ａが挿入される嵌挿孔４０とを有する。嵌挿孔４０は、円棒状のシャフト３の先端部３ａが嵌挿される円筒状をなし、その下端４１は段差状であって、底部分４２は他の部分に比して径寸法が小さくなっている。
【００１９】
嵌挿孔４０は、取付部２０の開口端部（キャップ１０の上端）２１から下方へ向かって接面部３０の内部まで延びている。ここで、キャップ１０において、説明の便宜上、中空円筒状の取付部２０が、開口端部から下方へ延び、その外周面が径外方向へ拡がる基点となる境界部分１５から上方を取付部２０、境界部分１５から下方を接面部３０として区分する。したがって、嵌挿孔４０が接面部３０の内部まで延びているとは、嵌挿孔４０が境界部分１５を越えてさらに下方へ延びており、その下端４１が接面部３０の内部に位置することを意味する。
【００２０】
接面部３０は、円形状の外周縁３０ａと、取付部２０から次第に広がるように下方へ傾斜状に延びる上面３１と、地面７に当接される底面（接地面）３２とを有する。接面部３０の底面３２の外周縁部３３は曲状であって、底面３２は外周縁部３３から接面部３０の中心Ｐに向かってわずかに膨らんだような形状を有する。接面部３０の上面３１には、その周方向Ｒへ間隔を空けて配置された複数の凹部５１と、凹部５１と凹部５１との間に位置する複数の凸部５２とを有する。凹部５１は、取付部２０と接面部３０との境界部分１５近傍から接面部３０の外周縁３０ａまで、次第にその幅寸法が大きくなるように延びており、凹部５１の上方部分の幅寸法よりも下方部分の幅寸法が大きくなっている。
【００２１】
図４を参照すると、接面部３０の底面３２には、幾何学模様からなる溝部６０が形成されている。溝部６０は、接面部３０の中心Ｐを囲むように位置する、大小２つの六角形状の溝から形成された第１部分６１と、第１部分６１を基点として、中心Ｐ側から放射状に外周縁部３３まで延びる第２部分（条溝）６２とを有する。接面部３０の底面３２に溝部６０が形成されることによって、底面３２全体が平面的に地面７と接する場合に比べて、水捌けがよくなるとともに、地面７との接地面積を少なくして歩行時に地面７から受ける摩擦抵抗を低減することができる。また、溝部６０は、地面７の舗装状況に応じて、水捌けや接地面積を考慮して適宜必要な形状に変更することが可能であり、例えば、第１部分６１は、円形、楕円形、三角形、四角形、星形等の各種公知の形状を採用してもよいし、条溝６２は、屈曲したり非連続の状態で中心Ｐ側から外周縁部３３まで延びていてよい。
【００２２】
通常、使用者が、歩行補助具をそれぞれの手に持ってトレッキング等をする場合には、把持したグリップから地面に力を伝えるように、キャップを地面に押し当て、その反発力を利用しながら（それを推進力に換えて）歩行することができる。そのとき、シャフトの先端部全体が取付部に位置する場合には、その可撓性と相俟って、取付部をシャフトの動きに追従して変形させやすくなるが、取付部が先に変形してしまうので、使用者が重心を移動した場合において、接面部をそれに応じて変形させることができない。
【００２３】
本実施形態に係るキャップ１０においては、シャフト３の先端部３ａを接面部３０の内部まで延出させて取付部２０の変形を抑制するとともに、接面部３０の上面３１にその周方向Ｒにおいて間隔を空けて並ぶ複数の凹部５１を形成し、かつ、凹部５１が底面３２に位置する条溝６２と上下方向Ｙにおいて重なることによって部分的に剛性が低くなる低剛性域７１が形成されている。図６及び図７（ａ）を参照すると、かかる低剛性域７１が形成されることによって、接面部３０の内部に芯となるシャフト３の先端部３ａが位置して取付部２０の変形を抑制することができ、地面７に対して斜めに当接された接面部３０を重心の移動に合わせて変形させることができる。
【００２４】
低剛性域７１は、接面部３０の上面３１に位置する凹部５１のみで形成することもできるが、それと上下方向Ｙにおいて重なる条溝６２とから形成することによって、より剛性を低くして接面部３０を部分的により変形させることができる。また、このように、上面３１に位置する凹部５１と底面３２に位置する条溝６２とによって上下両面から肉薄に形成することによって、一方面からのみ肉薄にする場合に比べて大きな段差が形成されることはなく、段差によって地面７の凹凸に引っ掛かったり、凸部５２からなる高剛性域７２との剛性差によって破断しやすくなるのを抑制することができる。ここで、凹部５１と条溝６２とが上下方向Ｙにおいて互いに重なるとは、それらが上下方向（又は厚さ方向）Ｙにおいて互いに対向して位置することを意味し、上下方向Ｙにおいて対向するように互いに並行して延びる場合のほかに、本実施形態のように、接面部３０の上面３１において外周縁３０ａから上り勾配に延びる凹部５１と、底面３２において外周縁部３３から中心Ｐへ向かって傾斜して延びる条溝６２とのように、中心Ｐ側へ向かうにつれて互いに離間するように延びる場合も含むものである。
【００２５】
また、接面部３０の上面３１に位置する凸部５２には、上下方向Ｙにおいて条溝６２が重なるように位置していない。これによって、凸部５２の位置する領域は、凹部５１の位置する低剛性域７１に比べて剛性が高い高剛性域７２となり、高剛性域７２において安定して接面部３０を地面７に押し当ててその反撥力を利用することができる。このように、本考案においては、低剛性域７１と高剛性域７２とを有することによって、重心の移動に応じてキャップ１０を変形させることができ、かつ、その反撥力を利用することによって比較的に容易に歩行することができる。
【００２６】
本実施形態においては、低剛性域７１と高剛性域７２とが接面部３０の周方向Ｒに交互に配置されていることによって、比較的に広い範囲に連続して低剛性域７１及び／または高剛性域７２が形成される場合に比べて接面部３０がバランス良く変形・反撥することができる。また、本実施形態においては、凹部５１と凸部５２との大きさ（面積）がほぼ同じであることによって、さらに低剛性域７１と高剛性域７２とがバランス良く配置されているといえる。ただし、本考案の技術的な作用効果を奏する限りにおいて、凹部５１と凸部５２との大きさが互いに異なるものであってもよいし、低剛性域７１と高剛性域７２が交互ではなく、一部において一方又は両方が周方向Ｒにおいて連続して配置されていてもよい。
【００２７】
凹部５１は、取付部２０と接面部３０との境界部分１５から下方へ延びていることによって、接面部３０全体を重心の移動に応じて変形させることができる。また、凹部５１は、上方から下方へ向かうに従って幅広となるように延びていることから、凹部５１が取付部２０の下端から下り勾配に拡がる接面部３０の上面３１までほぼ同じ幅寸法のまま延在する場合に比べて、外周縁部３３側において凹部５１の面積を広く形成することができるので、使用者の重心移動に応じて外周縁部３３側の部分をより確実に変形させることができる。
【００２８】
凹部５１は、接面部３０の中心Ｐから１２０〜３６０度の範囲内（両側に位置する凹部５１の外側縁間の交角αの大きさ）に位置することが好ましい。凹部５１が接面部３０の全周方向、すなわち、その中心Ｐから３６０度の範囲（交角αが３６０度）に凸部５２と交互に配置されていることによって、使用者の重心の移動に応じて接面部３０を全周方向へ変形させることができる。ただし、使用者が歩行するときには、重心が前方側に移動するものであって、少なくとも接面部３０はその重心移動に応じて前方へ中心Ｐから約１２０度の範囲内で変形できればよい。本実施形態においては、接面部３０の中心Ｐから前方へ１２０度の範囲内において、２本の凹部５１が配置されている。
【００２９】
再び、図６を参照すると、凹部５１の幅寸法は条溝６２の幅寸法よりも大きくなっている。したがって、接面部３０の全体は、上下方向Ｙにおいて、凹部５１と条溝６２とが互いに重なり合う第１低剛性域７１Ａ、凹部５１のみが位置する第２低剛性域（中剛性域）７１Ｂ、凸部５２が位置する高剛性域７２の３つの剛性域によって区分することができる。各剛性域７１Ａ，７１Ｂ，７２の剛性に関する相関関係は、厚さ寸法がそれぞれ異なることによって、高剛性域７２＞第２低剛性域７１Ｂ＞第１低剛性域７１Ａとなっている。このように、接面部３０の周方向Ｒにおいて、最も剛性の低い第１低剛性域７１Ａと最も剛性の高い高剛性域７２との間において第２低剛性域７１Ｂが位置することによって、次第に剛性差が変化することになるので、第１低剛性域７１Ａと高剛性域７２とが隣接して急激な剛性差が生じる場合に比べて、接面部３０の変形と地面に対する反発とをバランスよく実現することができる。
【００３０】
凹部５１と条溝６２とは、上下方向Ｙにおいて互いに連続しておらず、それらの間には離間部分７３が形成されている。接面部３０の外周縁部３３において凹部５１と条溝６２とが離間せずに互いに連続している場合には、連続している該部分が外周縁部３３のうちで最も破断しやすい部分となるので、外周縁部３３を地面７に摺接するように歩行したときに該部分を基点として破断が生じるおそれがある。本実施形態においては、凹部５１と条溝６２との間に離間部分７３を形成してそれらを僅かに離間させていることによって、かかる破断を抑制することができる。ただし、材料の弾性や強度等を考慮して、凹部５１と条溝６２とが連続していてもかかる破断を生じるおそれがない場合には、離間部分７３を形成せずに、それらが連続していてもよい。
【００３１】
図７（ｂ）を参照すると、使用者は歩行時において、ストラップ４を手に掛け回した状態でグリップ２から手を放し、キャップ１０を引きずるようにして移動することがある。かかる状態においては、接面部３０の外周縁部３３が地面に摺接されることになるが、外周縁部３３が曲状であることによって、外周縁部３３が摩擦によって破断したりひび割れしたりするのを抑制することができる。
【００３２】
再び、図５を参照すると、嵌挿孔４０の下端４１には、オプションとして、金属製又は硬質プラスチック製の円形薄板から形成された、少なくともキャップよりも高い剛性を有する高剛性部材８０が配置される。高剛性部材８０には、例えば、汎用性のあるワッシャやナットを使用することもできる。高剛性部材８０が配置されていることによって、歩行時やシャフト３の取り付け時において、シャフト３の先端部３ａが軟質弾性材料から形成された嵌挿孔４０の下端４１を突き破るようにして、接面部３０のさらに内部に食い込むことを抑制することができる。また、シャフト３の先端部３ａが接面部３０の内部まで延びていることに加えて、このように高剛性部材８０が配置されていることによって、取付部２０がシャフト３の動きに追従して変形するのを確実に抑制することができる。
【００３３】
また、嵌挿孔４０の内周面の下端４１側には、複数の突起（ストッパー）４５が形成されている。嵌挿孔４０の内周面に突起４５が配置されていることによって、嵌挿孔４０の下端４１に配置された高剛性部材８０の上方への移動が規制され、シャフト３の先端部３ａが挿入する前に高剛性部材８０が開口端部２１から嵌挿孔４０の外へ出るのを抑制することができる。
【００３４】
本考案のキャップ１０を構成する各構成部材には、明細書に記載されている材料のほかに、この種の物品において通常用いられている各種公知の材料を制限なく用いることができる。また、明細書及び実用新案登録請求の範囲において、「第１」及び「第２」の用語は、同様の要素、位置等を単に区別するために用いられる。
【符号の説明】
【００３５】
１    歩行補助具
１０  歩行補助具のキャップ（キャップ）
２０  取付部
３０  接面部
３１  上面
３２  底面
３３  外周縁部
４０  嵌挿孔
４１  嵌挿孔の下端
４５  突起
５１  凹部
５２  凸部
６２  条溝
８０  高剛性部材
Ｐ  接面部の中心
Ｒ  周方向
Ｙ  上下方向
【図１】
0003210090.tif 000003
【図２】
0003210090.tif 000004
【図３】
0003210090.tif 000005
【図４】
0003210090.tif 000006
【図５】
0003210090.tif 000007
【図６】
0003210090.tif 000008
【図７】
0003210090.tif 000009
【手続補正書】
【提出日】平成29年2月22日(2017.2.22)
【手続補正１】
【補正対象書類名】実用新案登録請求の範囲
【補正対象項目名】全文
【補正方法】変更
【補正の内容】
【実用新案登録請求の範囲】
【請求項１】
上下方向を有し、シャフトの先端部が取り付けられる取付部と、前記取付部の下方に位置する接面部とを含む歩行補助具のキャップにおいて、
前記取付部から前記接面部まで延びる嵌挿孔を有し、
前記取付部から下方へ拡がるように傾斜状に延びる前記接面部の上面には、その周方向において間隔を空けて並ぶ複数の凹部が位置し、
前記接面部の底面には、前記接面部の中心側から外周縁部側へ延びる複数の条溝が位置し、
前記凹部と前記条溝とが前記上下方向において互いに重なることを特徴とするキャップ。
【請求項２】
前記凹部と前記凹部との間に位置する凸部と前記複数の条溝とは、前記上下方向において互いに重なっていない請求項１に記載のキャップ。
【請求項３】
前記凹部は、前記取付部と前記接面部との境界部分近傍から下方へ向かって次第に幅広となるように延びている請求項１又は２に記載のキャップ。
【請求項４】
前記凹部の幅寸法は前記条溝の幅寸法よりも大きく、前記凹部と前記条溝とが前記外周縁部において互いに離間している請求項１〜３のいずれかに記載のキャップ。
【請求項５】
前記凹部と前記凸部とはほぼ同じ幅寸法であって、前記凹部は前記接面部の前記中心から１２０〜３６０度の範囲内に位置する請求項２に記載のキャップ。
【請求項６】
前記嵌挿孔の下端側の内面には、前記下端に配置された高剛性部材の上方への移動を規制するための突起が位置する請求項１〜５のいずれかに記載のキャップ。